(57)【要約】【課題】例えば車椅子走行時、あるいは車椅子ないしそのシートに着座した状態での入浴時等の様々な状況下で、車椅子利用者の座位を安定させることができる簡素な構造を備えた車椅子用アタッチメントが望まれる。【解決手段】車椅子用アタッチメント（１）は、座位にある車椅子利用者の胴部と対向するよう凹状に構成された胴当て部（２）と、胴当て部（２）の前方に設けられた隆起部（３）と、胴当て部（２）と隆起部（３）の間に配置され、車椅子利用者の肘および腕の少なくとも一つが載置可能に構成された肘置き部（４）と、胴当て部（２）の左側および右側にそれぞれ配置され、車椅子（１００）の左右の肘掛け（１０１，１０１）に脱着自在に構成された左右の連結部（５，５）を有する。【選択図】図１
2018175571.tif 000002
【特許請求の範囲】
【請求項１】
座位にある車椅子利用者の胴部と対向するよう凹状に構成された胴当て部と、
前記胴当て部の前方に設けられた隆起部と、
前記胴当て部と前記隆起部の間に配置され、前記車椅子利用者の肘および腕の少なくとも一つが載置可能に構成された肘置き部と、
前記胴当て部の左側および右側にそれぞれ配置され、車椅子の左右の肘掛けに脱着自在に構成された左右の連結部と、
を有する、ことを特徴とする車椅子用アタッチメント。
【請求項２】
前記隆起部は、前記車椅子の左右方向に連続して形成されていることを特徴とする請求項１記載の車椅子用アタッチメント。
【請求項３】
前記胴当て部は、前記車椅子の上下方向に延在して、前記左右の肘掛けおよび前記左右の連結部よりも下方に突出するよう構成される内周面を備えることを特徴とする請求項１又は２記載の車椅子用アタッチメント。
【請求項４】
前記胴当て部は、前記胴当て部の下縁部に、前記胴当て部の外方に向かって拡がるように構成された鍔部を備えることを特徴とする請求項１〜３のいずれか一記載の車椅子用アタッチメント。
【請求項５】
前記胴当て部と前記左右の連結部の間にそれぞれ配置され、前記車椅子の前後方向に延在する左右の部分開放された略筒状形成部を有することを特徴とする請求項１〜４のいずれか一記載の車椅子用アタッチメント。
【請求項６】
座位入浴時に使用される座位入浴用アタッチメントであることを特徴とする請求項１〜５のいずれか一記載の車椅子用アタッチメント。
【発明の詳細な説明】
【技術分野】
【０００１】
本発明は、車椅子用アタッチメント、特に、車椅子上での座位を安定させる車椅子用アタッチメント、中でも車椅子ないしそのシート上に着座した状態で入浴する際の座位を安定させる車椅子用アタッチメントに関する。
【背景技術】
【０００２】
被介護者の座る姿勢（これを「座位」と称する）を安定させることは、被介護者の身体的および心理的健康を保つために重要である。特に、被介護者が車椅子ないしそのシートに着座しているとき、被介護者すなわち車椅子利用者は揺れを受け易い状況下に置かれる。したがって、車椅子利用者の座位を安定させることはより重要である。
【０００３】
特許文献１には、変形可能な充填材料および伸縮材料から構成された車椅子用クッションが開示されている。このクッションは、車椅子使用者の膝上において、車椅子使用者の腹部に嵌合した状態で、クッション背部に設けられたベルトにより車椅子のフレームに引っ掛けられている。
【０００４】
また、本出願人は、特許文献２等に開示しているように、入浴者が車椅子ないしそのシートに着座した状態、すなわち座位での浴槽内入浴を可能にする入浴リフト装置を開発している。浴槽内への入浴中、入浴者は浮力または湯の波力を受けて揺れ易い状況下に置かれる。
【先行技術文献】
【特許文献】
【０００５】
【特許文献１】特許５６０４８７７号公報
【特許文献２】特許４５１８７７５号公報
【発明の概要】
【発明が解決しようとする課題】
【０００６】
以下の分析は、本発明によって与えられたものである。
【０００７】
特許文献１の車椅子用クッションは、車椅子利用者が掴む部分がなく、加えてクッション自体が軟らかいため、このクッションにより被介護者を十分に受け止めることはできない。
【０００８】
したがって、例えば車椅子走行時、あるいは車椅子ないしそのシートに着座した状態での入浴時等の様々な状況下で、車椅子利用者の座位を安定させることができる簡素な構造を備えた車椅子用アタッチメントが望まれる。
【課題を解決するための手段】
【０００９】
第１の視点において、車椅子用アタッチメントは下記の要素を含むことができる：
・座位にある車椅子利用者の胴部と対向するよう凹状に構成された胴当て部；
・前記胴当て部の前方に設けられた隆起部；
・前記胴当て部と前記隆起部の間に配置され、前記車椅子利用者の肘および腕の少なくとも一つが載置可能に構成された肘置き部；
・前記胴当て部の左側および右側にそれぞれ配置され、車椅子の左右の肘掛けに脱着自在に構成された左右の連結部。
【発明の効果】
【００１０】
本開示によれば、様々な状況下で、車椅子利用者の座位を安定させることができる簡素な構造を備えた車椅子用アタッチメントが提供される。
【図面の簡単な説明】
【００１１】
【図１】（Ａ）は一実施例に係る車椅子用アタッチメントおよびそれが装着された車椅子を示す側面図、（Ｂ）は（Ａ）の車椅子用アタッチメントを前方から視たＦ矢視図、および（Ｃ）は（Ａ）の車椅子用アタッチメントを後方から視たＲ矢視図である。
【図２】図１に示した車椅子用アタッチメントを斜め後方上方から視た外観図である。
【図３】図１に示した車椅子用アタッチメントを斜め前方下方から視た外観図である。
【図４】図１に示した車椅子用アタッチメントを車椅子に脱着する様子を示す動作図である。
【図５】図１に示した車椅子用アタッチメントおよび車椅子ないしそのシートを用いて、座位で入浴する様子を示す動作図である。
【発明を実施するための形態】
【００１２】
一実施形態に係る車椅子用アタッチメントについて、図１を参照しながら概説する。車椅子（１００）に脱着可能な車椅子用アタッチメント（１）は、所定の剛性を有する素材から下記の要素を含むように構成することができる。
・座位にある車椅子利用者（被介護者）の胴部と対向する（囲む）よう凹状（溝状、Ｕ字状、コの字状、弧状、半環状または一部開放形状）に構成された胴当て部（２）；
・胴当て部（２）の前方に設けられた隆起部（３）；
・胴当て部（２）と隆起部（３）の間に配置され、車椅子利用者の肘および腕の少なくとも一つが載置可能に構成された肘置き部（接続部または中間部）（４）；および
・胴当て部（２）の左側および右側にそれぞれ配置され、車椅子（１００）の左右の肘掛け（１０１，１０１）に脱着自在に構成された左右の連結部（５，５）。
【００１３】
胴当て部（２）は、座位にある車椅子利用者の胴部を囲み、車椅子利用者の不意の倒れ込みを防止することができる。
【００１４】
隆起部（３）は、座位にある車椅子利用者が掴むないし握ることができるように、胴当て部（２）の前方に配置される。また、隆起部（３）を設けたことにより、車椅子用アタッチメント（１）の剛性が高まるため、車椅子利用者を受け止める能力が向上される。
【００１５】
車椅子利用者は、隆起部（３）を掴むことによる反作用力により、（ｉ）身体的には、体幹の傾斜、円背および仙骨座り（滑り座り）を自ら防止することができ、（ｉｉ）心理的には、手が空中にあったり、握りこぶしを作ったりするよりも、安心感を得ることができる。
【００１６】
肘置き部（４）は、隆起部（３）を掴む車椅子利用者の疲労を防止するように、車椅子利用者の肘ないし腕、場合によっては他の部分を支えることができる。
【００１７】
左右の連結部（５，５）は、車椅子利用者または車椅子の利用目的に応じて、車椅子用アタッチメント（１）を車椅子（１００）に取り付けまたは取り外しできるように、車椅子（１００）の左右の肘掛け（１０１，１０１）に脱着自在に構成される。
【００１８】
このような車椅子用アタッチメント（１）は、車椅子（１００）に比べてはるかに安価に製造可能であるため、様々なデザインを備えるバリエーションを展開することが容易である。したがって、介護者は、被介護者ないし車椅子利用者の身体的および精神的な経時変化に応じて、少ない経済的負担で最適な車椅子用アタッチメント（１）を選択することができる。
【００１９】
以上のとおり、車椅子用アタッチメント（１）は、安価に製造可能な簡素な構造により、例えば車椅子（１００）の走行時、あるいは車椅子ないしそのシートに着座した状態での入浴時（図５参照）等の様々な状況下で、車椅子利用者の座位をより安定させることができる。
【００２０】
本開示に基づく好ましい形態を下記に例示する。なお、上記実施形態、後述する形態および実施例は、本開示に基づく態様の一例であり、本開示に基づく態様はこれらに限定されるものではない。
【００２１】
（形態１）車椅子用アタッチメントは、車椅子利用者が車椅子用アタッチメントにもたれかかった際に少なくとも車椅子利用者の上半身の荷重を受け止める十分な剛性を有する。車椅子用アタッチメントは、一部または全体が、硬質な塩化ビニル樹脂、アクリル樹脂、ウレタン樹脂のような剛性を有するプラスチック樹脂から形成してもよく、あるいは木材、金属、および以上例示した材料を組み合わせた複合材料から形成してもよい。車椅子用アタッチメントは、例えばシート成形から製造することもできる。
【００２２】
（形態２）車椅子用アタッチメントの隆起部は、車椅子の左右方向に連続して形成されている。この形態によれば、車椅子利用者は、その身体的および精神的状態に応じて、隆起部の所望の位置を選択して掴むことができる。隆起部は断続的ないし分散して形成されてもよく、例えば、左右一対の隆起部が形成されてもよい。また、隆起部の連続または多数個形成により、車椅子用アタッチメントの剛性を高めることができる。
【００２３】
（形態３）車椅子用アタッチメントの胴当て部は、車椅子の上下方向に延在して、車椅子の左右の肘掛けおよび車椅子用アタッチメントの左右の連結部よりも下方に突出するよう構成される内周面（帯面）を備える。これによって、車椅子利用者を受け止める面積が拡大されて、車椅子利用者が胴当て部に当接した際の圧力が分散される。さらに、胴当て部の拡張によって、車椅子用アタッチメントの剛性を高めることができる。
【００２４】
（形態４）車椅子用アタッチメントの胴当て部は、胴当て部ないしその内周面（帯面）の下縁部に、胴当て部の外方に向かって拡がるように構成された鍔部を備える。これによって、車椅子利用者が胴当て部の下縁部に接触した際の当たりが緩和される。また、鍔部によって、車椅子用アタッチメントの剛性を高めることができる。
【００２５】
（形態５）車椅子用アタッチメントにおいて、胴当て部と左右の連結部の間にそれぞれ配置され、前記車椅子の前後方向に延在する左右の部分開放された略筒状形成部が設けられる。これによって、車椅子用アタッチメントの様々な方向の断面二次モーメントが高められ、車椅子用アタッチメントの剛性を高めることができる。略筒状形成部の前後方向端部または両端部に上下左右方向に延在する端面を形成してもよい。
【００２６】
（形態６）車椅子利用者が車椅子ないしそのシートに着座した状態での入浴時、車椅子利用者は浮力および浴槽内の湯の揺れを受ける。本開示に基づく車椅子用アタッチメントを用いて入浴する場合、車椅子利用者は隆起部を握ることにより、身体的および心理的に安定した状態で入浴することができる。したがって、本開示の車椅子用アタッチメントは、座位入浴用アタッチメントとして好適である。その他、本開示の車椅子用アタッチメントは、車椅子の通常走行時、または車両等へ車椅子利用者が車椅子に着座した状態で移乗する際にも有益である。
【００２７】
（形態７）車椅子用アタッチメントと車椅子側との連結は、車椅子利用者が車椅子用アタッチメントを十分に押さえ付けることができる場合には、摩擦力によってもよい。また、上記連結は、摩擦力による結合、ベルト、ワイヤおよびチェーン等の帯状ないし線条部材（条類）を巻き回すことによる結合、嵌合等の機械的結合、およびそれらの組合せによる結合のいずれも用いることができる。
【００２８】
（形態８）車椅子用アタッチメントの各部は、少なくとも部分的に開放されて外部と連通可能な形状を有することができる。したがって、このような車椅子用アタッチメントは、シート成形等の常用の成形方法により軽量かつ安価に製造することができる。また、車椅子用アタッチメントを座位入浴用アタッチメントとして用いた場合には、水抜けがよい。
【実施例１】
【００２９】
以下、例示的な実施例を、図面を参照しながら説明する。図１（Ａ）は、一実施例に係る車椅子用アタッチメントおよびそれが装着された車椅子を示す側面図、図１（Ｂ）は図１（Ａ）の車椅子用アタッチメントを前方から視たＦ矢視図、および図１（Ｃ）は図１（Ａ）の車椅子用アタッチメントを後方から視たＲ矢視図である。
【００３０】
図１（Ａ）〜（Ｃ）を参照して、車椅子用アタッチメント１は、座位にある車椅子利用者（図５参照）の胴部と対向するよう凹状に構成された胴当て部２と、胴当て部２の前方に設けられた隆起部３と、胴当て部２と隆起部３の間に配置されて車椅子利用者の肘および腕の少なくとも一つが載置可能（図５参照）に構成された肘置き部４と、胴当て部２の左側および右側にそれぞれ配置されて車椅子１００の左右の肘掛け１０１，１０１に脱着自在に構成された左右の連結部５，５を有する。
【００３１】
車椅子１００は、少なくとも、左右の肘掛け１０１，１０１、シート１０２、および背もたれ１０３を備える。車椅子１００ないしそのシート１０２を利用した入浴時（図５参照）、シート１０２から上の部分を下の台車部から分離することもできる。なお、左右の肘掛け１０１，１０１の先端に設けられた左右の介護者用ハンドル部１０１ａ，１０１ａは、介護者が車椅子利用者と向き合った状態で車椅子１００を操作するためのハンドルである。例えば、介護者は、本出願人が開発した入浴リフト装置に車椅子１００ないしそのシート１０２を連結する際、あるいは車椅子１００が洗い場を走行する際、左右の介護者用ハンドル部１０１ａ，１０１ａを掴んで車椅子１００を走行させることができる。
【００３２】
図２は、図１に示した車椅子用アタッチメントを斜め後方上方から視た外観図である。図３は、図１に示した車椅子用アタッチメントを斜め前方下方から視た外観図である。
【００３３】
特に、図１（Ａ）、図２および図３を参照して、胴当て部２は、車椅子用アタッチメント１の中央後部に形成される。胴当て部２は、車椅子１００の上下方向に延在して、車椅子１００の左右の肘掛け１０１，１０１および左右の連結部５，５よりも下方のレベルまで突出するよう構成される内周面（コの字状の帯部ないし帯面）２１を備える。内周面２１の高さ方向の幅は、車椅子利用者の受け止めと、車椅子用アタッチメント１の剛性の両方を考慮して、数十ｍｍ幅に設定される。さらに、胴当て部２は、胴当て部２ないし内周面２１の下縁部に、胴当て部２の外方に向かって拡がるように構成された鍔部２２を備える。鍔部２２は、車椅子利用者の当たりを緩和し、また車椅子用アタッチメント１の剛性を高めることができる。
【００３４】
特に、図１（Ａ）〜（Ｃ）および図２を参照して、隆起部３は、車椅子用アタッチメント１の前端部において、車椅子１００の左右方向に連続して形成され、少なくとも肘置き部４よりも上方へ隆起している。隆起部３は、前方に棒状部３１、後方に傾斜部３２を備える。棒状部３１の上面は、車椅子利用者が掴み易く、また安全性を向上するために、丸みを帯びて（Ｒ形状に）形成されている。傾斜部３２は、車椅子利用者の腕または肘が前方へ滑ることを防止するように、前方上方に向かって徐々に上昇する斜面を形成している。また、胴当て部２が下方に突出し、隆起部３が上方に突出することにより、車椅子用アタッチメント１の全体の剛性が強化され、例えば、前後方向の曲げ剛性または上下方向の圧縮強度が向上されている。なお、棒状部３１は左右に連続して形成されているが、場合により中央部に傾斜部３２の上面に至る凹部を形成してもよい。
【００３５】
肘置き部４は、車椅子用アタッチメント１の中間部に形成され、胴当て部２と隆起部３を接続する遷移部である。図中、肘置き部４は、平面に形成されているが、肘や腕を固定するための少なくとも一つの凹部または凸部を設けてもよい。肘置き部４は、連結部５および／または後述する略筒状形成部６の少なくとも一部を利用してもよい。例えば、車椅子利用者の肘または腕が、肘置き部４としても機能する連結部５および／または後述する略筒状形成部６の少なくとも一部上に置かれてもよい。
【００３６】
左右の連結部５，５は、車椅子１００の左右の肘掛け１０１，１０１に適合する形状を有する。本実施例の場合、肘掛け１０１が略円棒ないし半円棒状であるため、肘掛け１０１は、庇状、弧状、環状または半円状の形状ないし内周面を含む。連結部５と肘掛け１０１の連結は、摩擦力、形状嵌合、条類による巻き回し、およびそれらの組合せによって達成することができる。本実施例の場合、摩擦力、形状嵌合に加えて、ベルト５２（図４参照）による締結により、車椅子利用者が不意に車椅子用アタッチメント１を持ち上げてしまう事象を防止している。詳細には、図４を参照して、連結部５および略筒状形成部６に、複数のベルト通し穴５１，５１，５１を設け、複数のベルト通し穴５１，５１にベルト５２を複数回通した後（図４参照）、連結部５と肘掛け１０１の外周面を巻き回して、ベルト５２の両端部を締結している。肘掛け１０１に肘掛け１０１の一部分となるスポンジのような外装材が装着されている場合、外装材上から連結部５を嵌合させてもよい。
【００３７】
胴当て部２と左右の連結部５，５の間にはそれぞれ、左右が部分開放された略筒状形成部（以下「略筒状形成部」と略称する）６が配置されている。特に、図１（Ｂ）および（Ｃ）を参照して、略筒状形成部６は外側下方が開放されている。また、左右の略筒状形成部６，６は、車椅子１００の前後方向に延在している。左右の略筒状形成部６，６は、胴当て部２および左右の連結部５，５の少なくとも一つと一体的に形成されてもよい。車椅子１００の前後方向に延在する略筒状形成部６は、さらに、車椅子用アタッチメント１の左右方向の横断面でみて、部分的に環状、周状ないし孤状構造を有することにより、車椅子用アタッチメント１の前後・左右・上下方向の圧縮および引張応力に抗する剛性を向上させている。
【００３８】
上述のように構成した結果、本車椅子用アタッチメントは、大略下方に開放した状態において、一枚の板状材のプラスチック成形品から構成できる。その結果、軽量でも十分な強度を確保できると共に、製作コストも安価にできる。さらに、入浴時の水面下への降下に際して浮力を生ずることもなく、安心してかつ迅速に下降・入浴することができる。また、入浴後の上昇時にも水はけは良好であり、水の残留は無く、洗浄も容易であり、衛生的に繰り返し使用できるなどの多くの利点があり、車椅子用アタッチメントとして最適である。
【００３９】
次に、車椅子用アタッチメント１を車椅子１００に脱着可能に装着する操作方法を説明する。図４は、図１に示した車椅子用アタッチメントを車椅子に脱着する様子を示す動作図である。
【００４０】
図４から図１（Ａ）を参照して、車椅子用アタッチメント１を車椅子１００に取り付ける場合には、車椅子用アタッチメント１の左右の連結部５，５を車椅子１００の左右の肘掛け１０１，１０１上に載置して形状結合させ、次にベルト５２，５２を左右の連結部５，５および左右の肘掛け１０１，１０１に巻き回して締結すればよい。車椅子用アタッチメント１を取り外す場合には、この取り付け動作を反対に実行すればよい。
【００４１】
図５は、図１に示した車椅子用アタッチメントおよび車椅子ないしそのシートを用いて、座位で入浴する様子を示す動作図である。本図では、車椅子１００のシート１０２よりも上の部分を、車椅子１００の台車部分（図４参照）から切り離した状態で入浴しているが、場合によっては台車部分も含めて入浴することも可能である。
【００４２】
図５を参照して、車椅子１００のシート１０２に着座した車椅子利用者は、浴槽２００内にシート１０２ごと入浴している。車椅子利用者（座位入浴者）は、湯の浮力および湯面２０１の揺れによる波力を受けている。しかしながら、車椅子利用者は、隆起部３を掴み、肘置き部４に肘を置くことにより、身体的かつ心理的に安定した状態で、十分に湯につかることができる。
【００４３】
なお、本書に提示した特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【産業上の利用可能性】
【００４４】
本開示に基づく車椅子用アタッチメントは、多様な車椅子に装着することができ、また走行時および入浴時を含む多様な状況で、車椅子利用者ないし被介護者の座位を安定させるために利用することができる。
【符号の説明】
【００４５】
１  車椅子用アタッチメント
２  胴当て部
３  隆起部
４  肘置き部
５  連結部
６  部分開放された略筒状形成部、略筒状形成部
２１  胴当て部の内周面、コの字状の帯部ないし帯面
２２  鍔部
３１  棒状部
３２  傾斜部
５１  ベルト通し穴
５２  ベルト
１００  車椅子
１０１  肘掛け
１０１ａ  介護者用ハンドル部
１０２  シート
１０３  背もたれ、背当て、バックサポート
２００  浴槽
２０１  湯面
【図１】
2018175571.tif 000003
【図２】
2018175571.tif 000004
【図３】
2018175571.tif 000005
【図４】
2018175571.tif 000006
【図５】
2018175571.tif 000007